(57)【特許請求の範囲】
【請求項１】
第１直線偏光光を透過させ、当該第１直線偏光光と略直交する第２直線偏光光を反射させる反射型偏光板と、
前記反射型偏光板を収容して保持する保持部材と、
前記保持部材に収容された前記反射型偏光板の平面を付勢する第１付勢部材と、を備え、
前記第１付勢部材は、
前記反射型偏光板に光束を入射させる開口部と、
前記反射型偏光板と当接するとともに、前記開口部を囲んで形成される矩形状の枠部のうち互いに対向する一の組の２辺にそれぞれ形成される当接部と、
前記当接部に設けられるとともに、接着剤により前記保持部材に固定される片部と、
前記一の組の２辺において、前記当接部から離れるに従い前記反射型偏光板から離れる方向に傾いて形成される弾性部と、
前記保持部材に係合するとともに、前記枠部のうち互いに対向する他の組の２辺にそれぞれ形成される係合部とを有することを特徴とする反射型偏光板装置。
【請求項２】
請求項１記載の反射型偏光板装置であって、
前記第１付勢部材の片部は、接着される領域に、前記接着剤を溜める切り欠き部を備えていることを特徴とする反射型偏光板装置。
【請求項３】
請求項１または請求項２に記載の反射型偏光板装置であって、
前記保持部材に収容された前記反射型偏光板の側面を付勢する第２付勢部材を備え、
前記第２付勢部材は、前記接着剤により前記保持部材に固定されていることを特徴とする反射型偏光板装置。
【請求項４】
請求項３に記載の反射型偏光板装置であって、
前記第２付勢部材は、接着される領域に、前記接着剤を溜める切り欠き部を備えていることを特徴とする反射型偏光板装置。
【請求項５】
請求項１〜請求項４のいずれか一項に記載の反射型偏光板装置であって、
前記接着剤は、光硬化型で構成されていることを特徴とする反射型偏光板装置。
【請求項６】
請求項１〜請求項５のいずれか一項に記載の反射型偏光板装置と、
前記反射型偏光板装置を透過した前記第１直線偏光光に対し、画像情報に応じて変調して画像光を形成し、当該画像光を前記第２直線偏光光として反射させる反射型光変調装置と、
前記反射型偏光板装置を支持する第１面部と、前記反射型光変調装置を支持する第２面部と、第３面部を有する概三角柱形状の支持部材と、
を備えることを特徴とする電気光学装置。
【請求項７】
赤色光、緑色光、及び青色光の３つの色光に対応して設けられる請求項６に記載の電気光学装置と、
前記電気光学装置を対応する面にそれぞれ設置し、それぞれの前記電気光学装置で変調されて射出された前記画像光を合成して射出するクロスダイクロイックプリズムと、
を備えることを特徴とする光学装置。
【請求項８】
請求項７に記載の光学装置を備えることを特徴とするプロジェクター。
【発明の詳細な説明】
【技術分野】
【０００１】
本発明は、反射型偏光板装置、電気光学装置、光学装置、及びプロジェクターに関する。
【背景技術】
【０００２】
従来、反射型光変調装置を用いたプロジェクターが知られている。このプロジェクターには、ワイヤーグリッド型の反射型偏光板を備えたものがある。
【０００３】
特許文献１には、反射型空間光変調素子と、色光照明手段と、ワイヤーグリッド偏光子と、色合成光学系と、色合成光学系の入射面に対向して近接配置されて各色光用のワイヤーグリッド偏光子が取り付けられる第１面と、各色光用の反射型空間光変調素子が位置調整機構部を介して取り付けられる第２面とを少なくとも有した各色光用の支持部材と、投射レンズと、を備え、ワイヤーグリッド偏光子は、光学ガラス基板の片面側に金属線からなるワイヤーグリッドを有し、このワイヤーグリッドが形成されていない側の面を各色光用の支持部材の第１面にワイヤーグリッド偏光子固定用バネ部材により着脱自在に固定する構成とした投射型表示装置（プロジェクター）が開示されている。
【０００４】
また、詳細には、三角柱状支持部材の第１面に設けられた矩形孔の外周２段の凹部分の深い側の３箇所の凸部にワイヤーグリッド偏光子を取り付け、浅い側とまたがって密閉部材を配置し、更に上部に、板バネ部材を設置する。３箇所の押え部分は、凸部と一致してワイヤーグリッド偏光子を垂直方向から押え固定し、枠部分で密閉部材を押え固定する。板バネ部材は、三角柱状支持部材の下面および上面に形成された爪部に矩形孔部分を引っ掛けて固定し、一定の荷重で板バネ部材の押え部分がワイヤーグリッド偏光子を押さえることが開示されている。なお、この構成により、レジストレーションずれを軽減し、安定性の高い高品位画像を得ることができるとしている。
【先行技術文献】
【特許文献】
【０００５】
【特許文献１】特開２００８−１８０８５６号公報
【発明の概要】
【発明が解決しようとする課題】
【０００６】
特許文献１では、上述したように、ワイヤーグリッド偏光子は、板バネ部材の押さえ部分により、ワイヤーグリッド偏光子の平面に対して垂直方向から一定の荷重で押さえられて固定されている。しかし、固定されたワイヤーグリッド偏光子は、落下衝撃が加わることにより、回転し易くなる。ワイヤーグリッド偏光子（ワイヤーグリッド型の反射型偏光板）は、反射型光変調装置に対して平面方向に回転することで角度がずれた場合、コントラスト低下の重要な要因となるという課題がある。
【０００７】
従って、落下衝撃に対しても反射型偏光板を確実に固定でき、反射型偏光板の品質低下を防止する反射型偏光板装置、電気光学装置、光学装置、及びプロジェクターが要望されていた。
【課題を解決するための手段】
【０００８】
本発明は、上述した課題の少なくとも一部を解決するためになされたものであり、以下の適用例として実現することが可能である。
【０００９】
［適用例１］本適用例に係る反射型偏光板装置は、第１直線偏光光を透過させ、第１直線偏光光と略直交する第２直線偏光光を反射させる反射型偏光板と、反射型偏光板を収容して保持する保持部材と、保持部材に収容された反射型偏光板の平面を付勢する第１付勢部材と、を備え、第１付勢部材は、接着剤により保持部材に固定されていることを特徴とする。
【００１０】
このような反射型偏光板装置によれば、第１付勢部材により、保持部材に反射型偏光板の平面を付勢することによって、反射型偏光板が歪まない適正な押圧力で反射型偏光板を保持部材に固定することができる。また、第１付勢部材を接着剤により保持部材に固定することにより、落下衝撃が加わった場合に、第１付勢部材の変形等を防止できるため、適正な押圧力を維持すると共に、反射型偏光板の保持部材に対する移動（特に、平面方向の回転）を防止することができる。従って、落下衝撃に対して、反射型偏光板を確実に固定でき、反射型偏光板の品質低下を防止できる。
【００１１】
［適用例２］上記適用例に係る反射型偏光板装置において、保持部材に収容された反射型偏光板の側面を付勢する第２付勢部材を備え、第２付勢部材は、接着剤により保持部材に固定されていることが好ましい。
【００１２】
このような反射型偏光板装置によれば、第１付勢部材により、反射型偏光板の平面を付勢するだけではなく、第２付勢部材により、反射型偏光板の側面も付勢する。従って、平面のみの付勢だけでなく側面も付勢することによって、反射型偏光板を保持部材に確実に固定できる。また、第１付勢部材を接着剤により保持部材に固定するだけでなく、第２付勢部材を接着剤により保持部材に固定することにより、落下衝撃が加わった場合に、第１付勢部材及び第２付勢部材の変形等を防止できるため、押圧力を維持すると共に、反射型偏光板の保持部材に対する平面方向の回転を更に防止することができる。従って、落下衝撃に対して、反射型偏光板を更に確実に固定でき、反射型偏光板の品質低下を更に防止できる。
【００１３】
［適用例３］上記適用例に係る反射型偏光板装置において、第１付勢部材および／または第２付勢部材は、接着される領域に、接着剤を溜める切り欠き部を備えていることが好ましい。
【００１４】
このような反射型偏光板装置によれば、第１付勢部材に切り欠き部を備えることにより、保持部材への第１付勢部材の固定が確実に行える。特に、第１付勢部材が平板状の場合には、切り欠き部により、接着剤の適切な量を確保でき、接着する際の接着面積も確保することができるため、落下衝撃に対する第１付勢部材の固定力を確保することができる。これは、第２付勢部材に関しても同様となる。
【００１５】
［適用例４］上記適用例に係る反射型偏光板装置において、接着剤は、光硬化型で構成されていることが好ましい。
【００１６】
このような反射型偏光板装置によれば、他の接着剤を使用する場合に比べて硬化時間を短く、製造コストも低減できる。
【００１７】
［適用例５］本適用例に係る電気光学装置は、上述したいずれかの反射型偏光板装置と、反射型偏光板装置を透過した第１直線偏光光に対し、画像情報に応じて変調して画像光を形成し、画像光を第２直線偏光光として反射させる反射型光変調装置と、反射型偏光板装置を支持する第１面部と、反射型光変調装置を支持する第２面部と、第３面部を有する概三角柱状の支持部材と、を備えることを特徴とする。
【００１８】
このような電気光学装置によれば、反射型偏光板装置は、概三角柱状に形成される支持部材の第１面部に支持されて固定され、反射型光変調装置は支持部材の第２面部に支持されて固定される。そして、反射型偏光板装置は、透過した第１直線偏光光を反射型光変調装置に入射させ、反射型光変調装置は、入射した第１直線偏光光を第２直線偏光光として反射型偏光板装置に反射させ、反射型偏光板装置は、入射した第２直線偏光光を第３面部に向けて反射させる。そして、このような電気光学装置に落下衝撃が加わった場合に、反射型光変調装置に対する反射型偏光板の回転を防止することができる。従って、反射型偏光板の落下に対する品質低下を防止する電気光学装置を実現することができる。
【００１９】
［適用例６］本適用例に係る光学装置は、赤色光、緑色光、及び青色光の３つの色光に対応して設けられる上述した電気光学装置と、電気光学装置を対応する面にそれぞれ設置し、それぞれの電気光学装置で変調されて射出された画像光を合成して射出するクロスダイクロイックプリズムと、を備えることを特徴とする。
【００２０】
このような光学装置によれば、クロスダイクロイックプリズムは、電気光学装置を色光毎に、対応する面に設置して固定する。また、光学装置は、それぞれの電気光学装置で変調されて射出された画像光を合成して射出する。なお、このような光学装置に落下衝撃が加わった場合、各反射型偏光板装置は、それぞれの反射型偏光板を確実に固定しているため、各反射型光変調装置に対するそれぞれの反射型偏光板の回転を防止することができる。従って、反射型偏光板の落下に対する品質低下を防止する光学装置を実現することができる。
【００２１】
［適用例７］本適用例に係るプロジェクターは、上述した光学装置を備えることを特徴とする。
【００２２】
このようなプロジェクターによれば、反射型偏光板を確実に固定することで、反射型偏光板の落下に対する品質低下を防止する光学装置を備えることにより、プロジェクターに落下衝撃が加わった場合にも、コントラスト性能を維持し、画素ズレのない画像光を投写することができる。
【図面の簡単な説明】
【００２３】
【図１】本実施形態に係るプロジェクターの概略構成を模式的に示す図。
【図２】光学装置を示す斜視図。
【図３】Ｂ光用の電気光学装置を示す斜視図。
【図４】Ｂ光用の電気光学装置の分解斜視図。
【図５】Ｂ光用の反射型偏光板装置を示す斜視図。
【図６】Ｂ光用の反射型偏光板装置を示す斜視図。
【発明を実施するための形態】
【００２４】
以下、実施形態を図面に基づいて説明する。
（実施形態）
【００２５】
図１は、本実施形態に係るプロジェクター１の概略構成を模式的に示す図である。図１を参照して、プロジェクター１の光学系の構成及び動作を簡単に説明する。
本実施形態のプロジェクター１は、光源から射出された光束を画像情報（画像信号）に応じて変調して画像光を形成し、その画像光をスクリーン等に投写する。図１に示すように、プロジェクター１は、外装を構成する外装筺体１Ａ、光源装置３１等を有する光学ユニット３、制御部（図示省略）、光源装置３１や制御部等に電力を供給する電源装置（図示省略）、及びプロジェクター１内部を冷却する冷却ファン（図示省略）等を備えている。
【００２６】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に係る制御等を行う。
【００２７】
光学ユニット３は、制御部の制御に基づき、光源装置３１から射出された光束を光学的に処理し、画像情報に応じた画像光を形成して投写する。光学ユニット３は、光源装置３１のほか、照明光学装置３２、色分離光学装置３３、光学装置７、投写レンズ３５、及びこれらを光路上の所定の位置に配置する光学部品用筺体１Ｂを備える。
【００２８】
光源装置３１は、超高圧水銀ランプやメタルハライドランプ等からなる放電型の光源３１１及びリフレクター３１２等を備える。光源装置３１は、光源３１１から射出された光束をリフレクター３１２によって射出方向を揃え、照明光学装置３２に向けて射出する。
【００２９】
照明光学装置３２は、第１レンズアレイ３２１、第２レンズアレイ３２２、偏光変換素子３２３、及び重畳レンズ３２４を備える。第１レンズアレイ３２１は、マトリクス状に配列された複数の小レンズを有して構成されており、光源装置３１から射出された光束を複数の光束に分割する。第２レンズアレイ３２２は、第１レンズアレイ３２１と略同様の構成を有しており、重畳レンズ３２４と共に、光束を後述する反射型光変調装置３４２の表面に略重畳させる。偏光変換素子３２３は、第２レンズアレイ３２２から射出されたランダム偏光光を反射型光変調装置３４２で利用可能な第１直線偏光光に揃える機能を有する。なお、偏光変換素子３２３は、第１直線偏光光として、本実施形態では、色分離光学装置３３での光束の損失が少ないＳ偏光光に揃えている。
【００３０】
色分離光学装置３３は、クロスダイクロイックプリズム３３１、Ｇ光反射ダイクロイックミラー３３２、及び反射ミラー３３３，３３４を備え、照明光学装置３２から射出された光束（Ｓ偏光光）を、赤色光（以下「Ｒ光」と称す）、緑色光（以下「Ｇ光」と称す）、及び青色光（以下「Ｂ光」と称す）の３色の色光に分離する機能を有する。
【００３１】
クロスダイクロイックプリズム３３１は、Ｂ光反射ダイクロイックミラー３３１Ｂ、及びＧＲ光反射ダイクロイックミラー３３１ＧＲがＸ字状に配列されている。クロスダイクロイックプリズム３３１は、照明光学装置３２から射出された光束のうち、Ｂ光をＢ光反射ダイクロイックミラー３３１Ｂで反射し、Ｇ光及びＲ光をＧＲ光反射ダイクロイックミラー３３１ＧＲで反射して、入射する光束を分離する。
【００３２】
Ｂ光反射ダイクロイックミラー３３１Ｂで反射されたＢ光は、反射ミラー３３３により反射され、後述する電気光学装置６Ｂに射出される。一方、ＧＲ光反射ダイクロイックミラー３３１ＧＲによって反射されたＧ光及びＲ光は、反射ミラー３３４により反射された後、Ｇ光反射ダイクロイックミラー３３２に入射する。
【００３３】
Ｇ光反射ダイクロイックミラー３３２は、反射ミラー３３４により反射されたＧ光及びＲ光のうち、Ｇ光を反射し、Ｒ光を透過して入射する光束を分離する。Ｇ光反射ダイクロイックミラー３３２で反射されたＧ光は、後述する電気光学装置６Ｇに射出され、Ｇ光反射ダイクロイックミラー３３２を透過したＲ光は、後述する電気光学装置６Ｒに射出される。
【００３４】
光学装置７は、３色の色光毎に備えられた電気光学装置６（Ｒ光用の電気光学装置を６Ｒ、Ｇ光用の電気光学装置を６Ｇ、Ｂ光用の電気光学装置を６Ｂとする）、及び色合成光学装置としてのクロスダイクロイックプリズム３４４を備え、色分離光学装置３３で分離された各色光を画像情報に応じて変調し、画像光を形成する。
【００３５】
電気光学装置６は、反射型偏光板３４１、反射型光変調装置３４２、偏光板３４３、及び支持部材６０を備える。反射型偏光板３４１は、ガラス基板上にアルミニウム等からなる微細な線状リブを平行に多数配列したワイヤーグリッド型の構成となっている。反射型偏光板３４１は、線状リブの延出方向に対して垂直な偏光方向の偏光光を透過し、線状リブの延出方向に平行な偏光方向の偏光光を反射する。
【００３６】
本実施形態の反射型偏光板３４１は、偏光変換素子３２３で揃えられた第１直線偏光光（本実施形態ではＳ偏光光）を透過させ、第１直線偏光光と略直交する第２直線偏光光（本実施形態ではＰ偏光光）を反射する。なお、反射型偏光板３４１の光路前段に位相差板を配置し、反射型偏光板３４１が第２直線偏光光を透過し、第１直線偏光光を反射するように構成してもよい。
【００３７】
反射型光変調装置３４２は、対向する基板間に液晶層が挟持された構造を有する、反射型の高温ポリシリコンＴＦＴ液晶パネル、または、いわゆるＬＣＯＳ（Liquid Crystal On Silicon）で構成されている。
【００３８】
反射型光変調装置３４２は、反射型偏光板３４１を透過した第１直線偏光光である色光を変調して反射型偏光板３４１に向けて反射する。反射型光変調装置３４２で変調され、反射型偏光板３４１に向けて反射された第２直線偏光光である色光は、反射型偏光板３４１で反射される。なお、反射型光変調装置３４２は、第２直線偏光光として、本実施形態では、Ｐ偏光光に揃えている。
【００３９】
偏光板３４３は、反射型偏光板３４１で反射された第２直線偏光光を透過させる。すなわち、偏光板３４３は、反射型偏光板３４１で反射された光束に、正規の偏光光以外の偏光成分を有する偏光光が含まれた場合であっても、正規以外の偏光成分を除去することにより、画像のコントラスト向上に寄与している。
【００４０】
支持部材６０は、色光毎に設けられ（Ｒ光用の支持部材を６０Ｒ、Ｇ光用の支持部材を６０Ｇ、Ｂ光用の支持部材を６０Ｂとする）、反射型偏光板３４１、反射型光変調装置３４２、及び偏光板３４３を支持する。なお、反射型偏光板３４１は、後述する保持部材５０に設置されており、支持部材６０は、この保持部材５０を支持することで、反射型偏光板３４１を支持する。電気光学装置６は、位置決めされた投写レンズ３５及びクロスダイクロイックプリズム３４４に対して位置調整された後、固定される構成となっている。なお、電気光学装置６の位置調整方法に関しては、以降で説明する。
【００４１】
クロスダイクロイックプリズム３４４は、電気光学装置６で変調された各色光を合成してカラー画像を表す画像光を形成する。クロスダイクロイックプリズム３４４は、４つの直角プリズムを貼り合わせた平面視略正方形をなし、直角プリズム同士を貼り合わせた界面には、２つの誘電体多層膜が形成されている。クロスダイクロイックプリズム３４４は、誘電体多層膜が電気光学装置６Ｒ，６Ｂで変調されたＲ光、Ｂ光を反射し、電気光学装置６Ｇで変調されたＧ光を透過して、各色光を合成する。
【００４２】
投写レンズ３５は、複数のレンズを組み合わせた組レンズとして構成され、光学装置７で形成された画像光をスクリーン上に投写する。
【００４３】
図２は、光学装置７を示す斜視図であり、図２（ａ）は、光学装置７を−Ｘ方向から見た平面図であり、図２（ｂ）は、光学装置７の斜視図である。なお、以降の図において、説明の便宜上、ＸＹＺ直交座標系を用いる。詳細には、Ｇ光用の電気光学装置６Ｇから光束が射出される方向をＸ方向（＋Ｘ方向）、Ｂ光用の電気光学装置６Ｂから光束が射出される方向をＺ方向（＋Ｚ方向）、Ｘ方向及びＺ方向に直交し、図２（ａ）において図面上方向をＹ方向（＋Ｙ方向）とする。なお、＋Ｙ方向を上方向（−Ｙ方向を下方向）、＋Ｘ方向を前方向（−Ｘ方向を後方向）として、適宜使用する。
【００４４】
光学装置７は、図２に示すように、各色光に対応した３つの電気光学装置６（６Ｒ，６Ｇ，６Ｂ）と、３つの電気光学装置６を、隣接して直交する入射面にそれぞれ固定するクロスダイクロイックプリズム３４４と、クロスダイクロイックプリズム３４４を固定する固定台９とで構成される。
【００４５】
図３は、Ｂ光用の電気光学装置６Ｂを示す斜視図であり、図３（ａ）と図３（ｂ）とは、電気光学装置６Ｂの見る方向を変えた斜視図となっている。図４は、Ｂ光用の電気光学装置６Ｂの分解斜視図である。ここで、Ｒ光用の電気光学装置６Ｒ、Ｇ光用の電気光学装置６Ｇ、及びＢ光用の電気光学装置６Ｂは、略同様の構成部材により、略同一に構成されている。従って、以降では、Ｂ光用の電気光学装置６Ｂを取り上げて、電気光学装置６の構成及び動作を説明する。
【００４６】
電気光学装置６Ｂ（６）は、図３、図４に示すように、支持部材６０Ｂ（６０）と、反射型光変調装置３４２Ｂ（３４２）と、反射型偏光板装置５Ｂ（５）と、偏光板３４３とを備えて構成される。なお、反射型偏光板装置５は、色光毎に設けられており、以降、Ｒ光用の反射型偏光板装置を５Ｒ、Ｇ光用の反射型偏光板装置を５Ｇ、Ｂ光用の反射型偏光板装置を５Ｂとする。
【００４７】
支持部材６０Ｂは、概三角柱状のフレーム状に形成される。支持部材６０Ｂは、反射型偏光板３４１を支持する第１面部６１と、反射型光変調装置３４２Ｂを支持する第２面部６２と、偏光板３４３を支持する第３面部６３とを備えている。また、第１面部６１は、色分離光学装置３３によるＢ光の光軸に対して約４５°傾けて構成される。第２面部６２及び第３面部６３は、この第１面部６１を挟んで互いに略直交して構成されている。従って、支持部材６０Ｂは、概ね直角三角柱のフレーム状に形成されている。
【００４８】
なお、反射型偏光板３４１は、後述する反射型偏光板装置５Ｂとして構成されており、図４に示すように、保持部材５０Ｂを介して第１面部６１に支持固定される。なお、保持部材５０は、色光毎に設けられており、以降、Ｒ光用の保持部材を５０Ｒ、Ｇ光用の保持部材を５０Ｇ、Ｂ光用の保持部材を５０Ｂとする。
【００４９】
図５、図６は、Ｂ光用の反射型偏光板装置５Ｂを示す斜視図であり、詳細には、図５は、反射型偏光板３４１に対して第１直線偏光光が入射する方向から見た斜視図であり、図６は、反射型偏光板３４１に対して入射した第１直線偏光光が透過する方向から見た斜視図である。また、図５は、接着剤５３を塗布する接着領域Ａ１，Ａ２，Ａ３を示している。なお、図５以外の図面においては、接着領域Ａ１，Ａ２，Ａ３に塗布される接着剤５３の図示を省略している。図４〜図６を参照して、反射型偏光板装置５Ｂの構成と動作に関して説明する。
【００５０】
なお、図５に示すように、反射型偏光板装置５Ｂに対して第１直線偏光光が入射する面側を表面側５０ａとし、図６に示すように、第１直線偏光光が透過する面側を背面側５０ｂとして適宜使用する。また、図４〜図６において、表面側５０ａに正対した場合を基準として左右方向を使用する。
【００５１】
図４に示すように、反射型偏光板装置５Ｂは、保持部材５０Ｂと反射型偏光板３４１と第１付勢部材５１と第２付勢部材５２とを備えて構成される。また、反射型偏光板装置５Ｂは、接着剤５３により、第１付勢部材５１と第２付勢部材５２とが保持部材５０Ｂに固定される。
【００５２】
保持部材５０Ｂは、反射型偏光板３４１を収容して保持する部材であり、反射型光変調装置３４２Ｂに対する反射型偏光板３４１の角度を調整する部材でもある。保持部材５０Ｂは、略矩形状に形成され、略中央に開口部５０１と、開口部５０１の周辺に反射型偏光板３４１を収容する外周から窪んだ凹部５０２が形成される。
【００５３】
図６に示すように、保持部材５０Ｂの背面側５０ｂの上下方向の外縁中央部には、第１付勢部材５１と係合する一対の係合溝部５０３が形成されている。また、図５に示すように、保持部材５０Ｂの表面側５０ａの左右方向の外縁中央部には、一対の案内溝部５０４が形成され、後述する第１付勢部材５１の位置決め片５１４を案内する。また、凹部５０２の−Ｙ方向には、第２付勢部材５２を案内する案内突起５０５が複数形成されている。
【００５４】
また、図４に示すように、保持部材５０Ｂの＋Ｙ方向の縁部中央には、表面側５０ａに突出する円柱状の方向規制部５０６が２つ形成されている。なお、方向規制部５０６は、後述する第１付勢部材５１の向きを決める働きを行う。また、本実施形態の保持部材５０Ｂでは、２つの方向規制部５０６のうち、右側の方向規制部５０６を使用し、左側の方向規制部５０６は使用しない。なお、本実施形態では、保持部材５０Ｂはアルミニウム等の金属部材を採用しており、凹部５０２は二次加工として切削加工を行い形成している。この二次加工の工程において、使用しない側の方向規制部５０６を削除している。
【００５５】
保持部材５０Ｂの３つの角部には、反射型光変調装置３４２Ｂに対する反射型偏光板３４１の平面方向の角度を調整する調整部８が構成されている。なお、調整部８は、保持部材５０Ｂと支持部材６０Ｂとの双方に構成され、支持部材６０Ｂ（反射型光変調装置３４２Ｂ）に対して保持部材５０Ｂを回動可能とする係合部８０と、支持部材６０Ｂに保持部材５０Ｂを固定する固定部８４とを備えている。
【００５６】
保持部材５０Ｂは、調整部８を構成する係合部８０として、保持部材５０Ｂの３つの角部の外周面を構成する３つの調整用外周面部８２を備えている。なお、３つの調整用外周面部８２は、開口部５０１の中心を基準とする同心円状に曲面で形成されている。また、左上側の調整用外周面部８２の上部には、上方向に突出する調整用突起８３が形成されている。調整用突起８３は、反射型偏光板３４１の角度を調整する際に把持されるものである。
【００５７】
３つの調整用外周面部８２は、支持部材６０Ｂの第１面部６１に形成される後述する係合部８０としての３つの調整用案内面部８１に案内される。また、保持部材５０Ｂは、調整部８を構成する固定部８４として、３つの調整用外周面部８２の近傍で、開口部５０１の中心を基準とする同心円状に、それぞれ貫通する固定用長孔８５を備えている。この固定用長孔８５は、反射型偏光板３４１の調整が終了した後、保持部材５０Ｂを第１面部６１へ固定する際に使用される。
【００５８】
第１付勢部材５１は、保持部材５０Ｂに収容した反射型偏光板３４１に対し、保持部材５０Ｂと協働し、平面（本実施形態では、反射型偏光板３４１の後述するガラス面３４１２）を表面側５０ａから付勢する部材である。なお、第１付勢部材５１は、反射型偏光板３４１の平面が歪まない適正な押圧力で、反射型偏光板３４１を押圧している。また、第１付勢部材５１は、遮光性を有し、後述する開口部５１１外に入射する光束を遮光する部材である。第１付勢部材５１は、弾性を有する板状の金属部材を曲折して形成される。第１付勢部材５１は、略矩形状に形成されており、略中央に開口部５１１が形成される。なお、開口部５１１は、略台形形状に形成される。また、開口部５１１の各辺部は、略直線状に形成されており、辺部に切り欠き部や延出部等は形成されていない。
【００５９】
図３、図４に示すように、開口部５１１の台形形状は、いわゆる等脚台形として形成されており、図４に示すように、左右の平行となる対辺の短い辺をいわゆる上底５１１１とし、長い辺をいわゆる下底５１１２とした場合、上底５１１１が右側に位置し、下底５１１２が左側に位置する形状となる。
【００６０】
図５、図６に示すように、第１付勢部材５１の左右方向中央部には当接部５１２が形成され、その当接部５１２の上下方向には当接部５１２から離れるに従い表面側５０ａから離れる方向に傾くバネ部５１３が形成されている。また、左右の当接部５１２には、背面側５０ｂに曲折する一対の位置決め片５１４が形成される。また、一対の位置決め片５１４の上下側面には、矩形状となる切り欠き部５１４ａがそれぞれ形成される。なお、切り欠き部５１４ａは、第１付勢部材５１（位置決め片５１４）を保持部材５０Ｂに接着剤５３により接着固定する際の、接着剤５３を溜める機能を有する。
【００６１】
また、第１付勢部材５１の上下方向中央部（上下のバネ部５１３の中央部）には、背面側５０ｂに曲折する一対の係合片５１５が形成される。係合片５１５の先端部には一対の引掛け部５１５ｂ（図６）が形成されている。また、一対の係合片５１５の左右側面には、矩形状となる切り欠き部５１５ａがそれぞれ形成される。なお、切り欠き部５１５ａは、第１付勢部材５１（係合片５１５）を保持部材５０Ｂに接着剤５３により接着固定する際の、接着剤５３を溜める機能を有する。
【００６２】
また、図５に示すように、上下方向のバネ部５１３の係合片５１５との近傍には、中央部から若干右方向に位置して（上底５１１１側に寄って）、第１付勢部材５１の保持部材５０Ｂへの固定する向きを決める孔部５１６が形成されている。
【００６３】
第２付勢部材５２は、保持部材５０Ｂに収容した反射型偏光板３４１に対し、保持部材５０Ｂと協働し、反射型偏光板３４１の側面（本実施形態では反射型偏光板３４１の後述する下面３４１３）を付勢する部材である。第２付勢部材５２は、弾性を有する板状の金属部材を曲折して形成される。第２付勢部材５２は、帯状で対称形状となる断面略Ｗ字状に形成されている。第２付勢部材５２の両端部に、反射型偏光板３４１の側面を押圧する２つのバネ部５２１が形成されている。
【００６４】
ここで、図４〜図６を参照して、反射型偏光板装置５Ｂの組み立てに関して説明する。
最初に、保持部材５０Ｂの案内突起５０５の突起間の溝に第２付勢部材５２を挿入して設置する。次に、保持部材５０Ｂの凹部５０２に反射型偏光板３４１を表面側５０ａから挿入する。このとき、反射型偏光板３４１の機能面３４１１（ワイヤーグリッドが形成される面）を収容側（凹部５０２）に相対させる。また、反射型偏光板３４１の下面３４１３を、第２付勢部材５２の２つのバネ部５２１に抗して、バネ部５２１を下方向に押し下げながら挿入する。
【００６５】
この挿入により、反射型偏光板３４１は、凹部５０２（図４）内において、図５に示すように、第２付勢部材５２により、側面（下面３４１３）方向から押圧された状態で支持固定される。詳細には、反射型偏光板３４１は、第２付勢部材５２のバネ部５２１により、下面３４１３に対して垂直方向から押圧された状態で支持固定される。また、反射型偏光板３４１の機能面３４１１は、図６に示すように、背面側５０ｂを向き、開口部５０１から露出する。
【００６６】
次に、第１付勢部材５１を保持部材５０Ｂに設置する。第１付勢部材５１の孔部５１６に保持部材５０Ｂの方向規制部５０６を挿通し、当接部５１２を反射型偏光板３４１に当接させ、位置決め片５１４が案内溝部５０４を挟むように設置する。次に、それぞれの係合片５１５をバネ部５１３の付勢力に抗して係合溝部５０３の方向に押圧し、図６に示すように、引掛け部５１５ｂを係合溝部５０３に引掛ける。
【００６７】
なお、反射型偏光板３４１は、図５に示すように、凹部５０２内において、第１付勢部材５１の当接部５１２により、機能面３４１１とは逆側の面（ガラス面３４１２）を表面側５０ａから押圧された状態で支持固定される。また、反射型偏光板３４１のガラス面３４１２は、表面側５０ａを向き、第１付勢部材５１の台形形状を有する開口部５１１から露出する。
【００６８】
これにより、反射型偏光板３４１は、凹部５０２において、第１付勢部材５１の当接部５１２によりガラス面３４１２を垂直方向から押圧された状態で支持固定され、第２付勢部材５２のバネ部５２１により、下面３４１３を押圧された状態で支持固定された状態となる。
【００６９】
次に、図５に接着領域Ａ１として示すように、第１付勢部材５１の位置決め片５１４に形成される切り欠き部５１４ａと位置決め片５１４の先端部、及び切り欠き部５１４ａと先端部に接触する保持部材５０Ｂの領域にかけて、接着剤５３を塗布する。なお、接着領域Ａ１は、左右の位置決め片５１４に設けられる。
【００７０】
また、図５に接着領域Ａ２として示すように、第１付勢部材５１の係合片５１５に形成される切り欠き部５１５ａ、及びこの切り欠き部５１５ａに接触する保持部材５０Ｂの領域にかけて、それぞれ接着剤５３を塗布する。なお、接着領域Ａ２は、下側の係合片５１５の左右の切り欠き部５１５ａの２箇所と、上側の係合片５１５の左右の切り欠き部５１５ａの２箇所とに設けられる。
【００７１】
また、図５に接着領域Ａ３として示すように、第２付勢部材５２のバネ部５２１とバネ部５２１近傍の凹部５０２とにかけて、それぞれ接着剤５３を塗布する。なお、接着領域Ａ３は、第２付勢部材５２の左右のバネ部５２１の２箇所に設けられる。
【００７２】
接着剤５３として、本実施形態では、光硬化型である紫外線硬化型の接着剤を用いている。また、接着剤５３は、例えばディスペンサー等を使用して塗布される。但し、反射型偏光板３４１には接着剤５３を塗布しない。そのため、接着剤５３は、反射型偏光板３４１に付着する領域までは流動しない粘性を有するものを使用している。
【００７３】
接着領域Ａ１，Ａ２，Ａ３に接着剤５３を塗布した後、接着領域Ａ１，Ａ２，Ａ３に紫外線を照射する。これにより、接着領域Ａ１，Ａ２，Ａ３に塗布した接着剤５３が硬化する。接着剤５３が硬化することにより、接着領域Ａ１において、位置決め片５１４の切り欠き部５１４ａと先端部が、保持部材５０Ｂに固定される。また、接着領域Ａ２において、係合片５１５の切り欠き部５１５ａが、保持部材５０Ｂに固定される。また、接着領域Ａ３において、第２付勢部材５２のバネ部５２１が、保持部材５０Ｂに固定される。
以上の組み立てにより、反射型偏光板装置５Ｂが完成する。
【００７４】
次に、図３、図４を参照して、電気光学装置６Ｂの構成を説明する。
電気光学装置６Ｂを構成する支持部材６０Ｂは、前述したように、第１面部６１と第２面部６２と第３面部６３とを有し、概ね直角三角柱のフレーム状に形成されている。第１面部６１は、反射型偏光板装置５Ｂを回動自在に支持固定する。第２面部６２は、反射型光変調装置３４２Ｂを支持固定する。また、第３面部６３は、偏光板３４３を支持固定する。
【００７５】
第１面部６１は、矩形状の開口部６１１と、開口部６１１が形成される受部６１２を有している。受部６１２の外周となる３つの角部には、反射型光変調装置３４２Ｂに対する反射型偏光板３４１の平面方向の角度を調整する調整部８が構成されている。そして、支持部材６０Ｂは、調整部８を構成する係合部８０として、３つの調整用案内面部８１を備えている。調整用案内面部８１は、保持部材５０Ｂの３つの調整用外周面部８２に対応させ、調整用外周面部８２の外周面をそれぞれ摺動可能に形成されている。
【００７６】
また、支持部材６０Ｂは、調整部８を構成する固定部８４として、３つの調整用案内面部８１近傍の受部６１２に、それぞれネジ孔８７を備えている。このネジ孔８７は、反射型偏光板３４１の調整が終了した後、第１面部６１へ保持部材５０Ｂを固定する際に使用される。
【００７７】
反射型偏光板装置５Ｂを支持部材６０Ｂの第１面部６１に設置する場合は、図４に示すように、反射型偏光板装置５Ｂの保持部材５０Ｂに形成した３つの調整用外周面部８２を、第１面部６１に形成した、３つの調整用案内面部８１に対応させて、受部６１２に、保持部材５０Ｂの背面側５０ｂを当接させる。この設置により、反射型偏光板３４１の機能面３４１１は、反射型光変調装置３４２に向けて第１面部６１に支持固定される。
【００７８】
第２面部６２は、矩形状の開口部６２１と、図示省略する受部が形成されている。この受部に反射型光変調装置３４２Ｂの正面側３４２１を設置する。なお、反射型光変調装置３４２Ｂの正面側３４２１には、光束が入射し、また、射出される矩形状の有効領域となる開口部３４２２が形成されている。なお、反射型光変調装置３４２Ｂの背面側３４２３には、反射型光変調装置３４２Ｂで発生する熱を放熱するためのヒートシンク３４６が設置される。なお、反射型光変調装置３４２Ｂの側面からは、フレキシブル基板（図示省略）が延出しており、プロジェクター１の回路基板（図示省略）と接続され、反射型光変調装置３４２を駆動する画像情報が入力される。
【００７９】
第３面部６３は、図示省略する矩形状の開口部と、図示省略する受部が形成されている。その受部に偏光板３４３を設置する。詳細には、偏光板３４３は、偏光板３４３を保持及び調整可能とする保持板３４３１に固定され、この保持板３４３１を第３面部６３の受部に設置する。
【００８０】
次に、図３、図４を参照して、調整部８の調整方法を説明する。
電気光学装置６Ｂでの調整部８による調整は、反射型光変調装置３４２Ｂに対して、反射型偏光板装置５Ｂ（反射型偏光板３４１）を平面方向に回動させ、その回転角度を調整することにより行われる。また、調整部８とは別に、偏光板３４３の調整も行い、反射型光変調装置３４２Ｂに対して、平面方向に回動させ、その回転角度を調整する。この調整により、電気光学装置６Ｂから最終的に射出されるＢ光用の画像光のコントラストを向上させる。
【００８１】
電気光学装置６Ｂにおける調整部８を用いた反射型偏光板装置５Ｂの調整方法は、反射型偏光板装置５Ｂを第１面部６１に設置した後、反射型光変調装置３４２Ｂを全黒状態として、反射型偏光板装置５Ｂに、光軸方向（約４５°傾いた方向）から光束を入射させる。そして、保持部材５０Ｂの調整用突起８３を把持して第１面部６１に対して平行方向に回動する。この動作により、３つの調整用外周面部８２は、それぞれに対応する調整用案内面部８１に対して摺動して回動する。なお、調整は電気光学装置６Ｂから射出される光束が最も暗くなる角度に調整する。調整した後、固定用長孔８５に固定部８４を構成する固定ネジ８６を挿通し、第１面部６１に形成されるネジ孔８７と螺合させることにより、反射型偏光板装置５Ｂを第１面部６１に固定する。
【００８２】
なお、偏光板３４３も同様に調整する。詳細には、偏光板３４３を保持する保持板３４３１を把持して、第３面部６３に対して平行方向に回動させ、電気光学装置６Ｂから射出される光束が最も暗くなる角度に調整する。調整後は、保持板３４３１を第３面部６３に接着剤等で固定する。
【００８３】
次に、このように組み立てられ、また、調整された電気光学装置６ＢにおけるＢ光の動作に関して、図４を参照して説明する。
照明光学装置３２により、第１直線偏光光（本実施形態ではＳ偏光光）に揃えられたＢ光は、反射型偏光板装置５Ｂに入射する。詳細には、第１付勢部材５１の台形形状を有する開口部５１１から、反射型偏光板３４１の機能面３４１１とは逆側となるガラス面３４１２に入射する。
【００８４】
反射型偏光板３４１に入射したＢ光は、反射型偏光板３４１を透過する。透過したＢ光は、支持部材６０Ｂ内部を、第１面部６１から第２面部６２に進み、開口部６２１を介して、前記透過したＢ光に対して略垂直に設置される反射型光変調装置３４２Ｂに入射する。なお、この際、第１付勢部材５１の台形形状の開口部５１１に入射したＢ光は、反射型光変調装置３４２Ｂの矩形状の開口部３４２２に対応した矩形状で入射して重畳する。
【００８５】
反射型光変調装置３４２Ｂは、開口部３４２２から入射したＢ光に対して、フレキシブル基板を介して入力される画像情報に応じて変調する。変調されたＢ光は、第２直線偏光光（本実施形態ではＰ偏光光）に揃えられて、開口部３４２２を介して反射型偏光板装置５Ｂに向けて反射（射出）する。
【００８６】
反射型光変調装置３４２Ｂから射出されたＢ光は、開口部５０１を介して反射型偏光板３４１に入射する。この際、反射型偏光板３４１は、機能面３４１１が反射型光変調装置３４２Ｂに相対して設置されるため、反射型偏光板３４１に入射したＢ光は、機能面３４１１により、ガラス基板内部に入射することなく反射される。
【００８７】
機能面３４１１で反射されたＢ光は、前記反射されたＢ光に略垂直に設置される偏光板３４３に入射する。この偏光板３４３により、機能面３４１１で反射されたＢ光の中に含まれる正規以外の偏光成分が除去され、Ｐ偏光光が透過する。
以上の動作が、電気光学装置６Ｂの動作となる。
【００８８】
次に、反射型偏光板装置５（５Ｒ，５Ｇ，５Ｂ）に使用する第１付勢部材５１の設置の仕方に関して説明する。
本実施形態の第１付勢部材５１は、３つの反射型偏光板装置５に対し、１種類の第１付勢部材５１を用いることで、部品の共通化を図っている。そして、図１で示す各反射型偏光板３４１（反射型偏光板装置５）の光路上の位置関係により、Ｂ光用とＧ光用に用いる場合と、Ｒ光用に用いる場合とで、第１付勢部材５１の取り付け方向を面方向で１８０°回転することで対応させている。
【００８９】
詳細には、Ｂ光用とＧ光用では、第１付勢部材５１を正面から見た場合、上述したように、上底５１１１が右側で、下底５１１２が左側となり、孔部５１６が中央部から右方向に位置するように設置する。また、Ｒ光用では、第１付勢部材５１を正面から見た場合、上底５１１１が左側で、下底５１１２が右側となり、孔部５１６が中央部から左方向に位置するように設置する。なお、この向きにあわせて、Ｇ光用の保持部材５０Ｇでは、左側の方向規制部５０６を削除し、Ｒ光用の保持部材５０Ｒでは、右側の方向規制部５０６を削除する。
【００９０】
なお、Ｒ光用及びＧ光用の反射型偏光板装置５（５Ｒ，５Ｇ）は、Ｂ光用の反射型偏光板装置５Ｂと同様に組み立てる。また、Ｒ光用及びＧ光用の電気光学装置６（６Ｒ，６Ｇ）も、Ｂ光用の電気光学装置６Ｂと同様に組み立てる。また、反射型光変調装置３４２Ｒ，３４２Ｇに対するそれぞれの反射型偏光板３４１及び偏光板３４３の調整も、反射型光変調装置３４２Ｂに対する反射型偏光板３４１及び偏光板３４３の調整と同様に行う。
【００９１】
ここで、光学装置７の組み立て及び調整に関して説明する。
前述したように調整されて組み立てられた各色光用の電気光学装置６（６Ｒ，６Ｇ，６Ｂ）は、クロスダイクロイックプリズム３４４の入射面（図示省略）に対して、各色光用の電気光学装置６の偏光板３４３を相対させて仮設置する。そして、クロスダイクロイックプリズム３４４から射出される合成された画像光の画素位置調整を行う。詳細には、例えば、Ｇ光用の電気光学装置６Ｇを基準として、Ｒ光用の電気光学装置６Ｒと、Ｂ光用の電気光学装置６Ｂとを６軸方向で順次調整することにより、対応する３つの色光の画素が一致するように、画像光の画素位置調整を行う。
【００９２】
その後、クロスダイクロイックプリズム３４４の３方向の入射面に、各色光用の電気光学装置６を調整された位置で、接着剤等を用いて固定する。これにより、図２に示すように、光学装置７が完成する。なお、各色光用の電気光学装置６を調整する際、支持部材６０の上部に形成される突起部６４を把持して行う。
【００９３】
上述した実施形態によれば、以下の効果が得られる。
本実施形態の反射型偏光板装置５は、第１付勢部材５１により、反射型偏光板３４１の平面を付勢することによって、反射型偏光板３４１が歪まない適正な押圧力で反射型偏光板３４１を保持部材５０に固定することができる。また、接着領域Ａ１，Ａ２において、第１付勢部材５１を接着剤５３により保持部材５０に固定することにより、落下衝撃が加わった場合に、第１付勢部材５１の変形等を防止できるため、反射型偏光板３４１への適正な押圧力を維持すると共に、反射型偏光板３４１の保持部材５０に対する移動（特に、平面方向の回転）を防止することができる。従って、落下衝撃に対して、反射型偏光板３４１を確実に固定でき、反射型偏光板３４１の品質低下を防止できる。
【００９４】
本実施形態の反射型偏光板装置５は、第２付勢部材５２により、反射型偏光板３４１の側面（下面３４１３）を付勢することによって、反射型偏光板３４１を保持部材５０に固定できる。また、接着領域Ａ３において、第２付勢部材５２を接着剤５３により保持部材５０に固定することにより、落下衝撃が加わった場合に、第２付勢部材５２の変形等を防止できるため、反射型偏光板３４１への押圧力を維持すると共に、反射型偏光板３４１の保持部材５０に対する移動（特に、平面方向の回転）を防止することができる。従って、落下衝撃に対して、反射型偏光板３４１を更に確実に固定でき、反射型偏光板３４１の品質低下を更に防止できる。
【００９５】
本実施形態の反射型偏光板装置５は、反射型偏光板装置５に落下衝撃が加わった場合に、反射型偏光板３４１の保持部材５０に対する移動を防止することができるため、コントラスト性能の維持を図ることができる。
【００９６】
本実施形態の反射型偏光板装置５は、第１付勢部材５１により、反射型偏光板３４１に対して、適正な押圧力でガラス面３４１２を押圧することができ、反射型偏光板３４１の平面の歪や変形を抑制することができる。これにより、光学装置７の画素位置調整を容易に行うことができる。
【００９７】
本実施形態の反射型偏光板装置５は、第１付勢部材５１の位置決め片５１４に接着剤５３を溜める切り欠き部５１４ａを備え、同じく、係合片５１５にも接着剤５３を溜める切り欠き部５１５ａを備えている。そして、この切り欠き部５１４ａ，５１５ａを中心とする接着領域Ａ１，Ａ２に接着剤５３を塗布している。このような、切り欠き部５１４ａ，５１５ａを備えることにより、保持部材５０への第１付勢部材５１の固定が確実に行える。特に、第１付勢部材５１が本実施形態のように、平板状の場合には、切り欠き部５１４ａ，５１５ａにより、接着剤５３の適切な量を確保することができ、接着する際の接着面積も確保することができるため、落下衝撃に対する第１付勢部材５１の固定力を確保することができる。
【００９８】
本実施形態の反射型偏光板装置５は、接着剤５３として、光硬化型である紫外線硬化型の接着剤を用いている。これにより、他の接着剤を使用する場合に比べて硬化時間を短く、製造コストも低減できる。
【００９９】
本実施形態の電気光学装置６は、概三角柱状に形成される支持部材６０の第１面部６１に反射型偏光板装置５を固定し、支持部材６０の第２面部６２に反射型光変調装置３４２を固定し、支持部材６０の第３面部６３に偏光板３４３を固定する。そして、反射型偏光板装置５は、透過した第１直線偏光光を反射型光変調装置３４２に入射させ、反射型光変調装置３４２は、入射した第１直線偏光光を第２直線偏光光として反射型偏光板装置５に反射させ、反射型偏光板装置５は、入射した第２直線偏光光を偏光板３４３に向けて反射させる。そして、このような電気光学装置６に落下衝撃が加わった場合に、反射型光変調装置３４２に対する反射型偏光板３４１の回転を防止することができる。従って、反射型偏光板３４１の落下に対する品質低下を防止する電気光学装置６を実現することができる。これにより、電気光学装置６は、落下衝撃が加わった場合、反射型光変調装置３４２に対し、反射型偏光板３４１の第１直線偏光光の透過及び第２直線偏光光の反射の効率を維持することができることで、コントラスト性能を維持することができる。
【０１００】
本実施形態の光学装置７は、クロスダイクロイックプリズム３４４の対応する面に、電気光学装置６をそれぞれ設置して固定する。また、光学装置７は、それぞれの電気光学装置６で変調されて射出された画像光を合成して射出する。なお、このような光学装置７に落下衝撃が加わった場合、各反射型偏光板装置５は、それぞれの反射型偏光板３４１を確実に固定しているため、各反射型光変調装置３４２に対するそれぞれの反射型偏光板３４１の回転を防止することができる。従って、反射型偏光板３４１の落下に対する品質低下を防止する光学装置７を実現することができる。これにより、光学装置７は、落下衝撃が加わった場合、各反射型光変調装置３４２に対し、それぞれの反射型偏光板３４１の第１直線偏光光の透過及び第２直線偏光光の反射の効率を維持することができることで、コントラスト性能を維持することができると共に、画素ズレを防止することができる。
【０１０１】
本実施形態のプロジェクター１は、反射型偏光板３４１を確実に固定することで、反射型偏光板３４１の落下に対する品質低下を防止する光学装置７を備えることにより、プロジェクター１に落下衝撃が加わった場合にも、コントラスト性能を維持し、画素ズレのない画像光を投写することができる。
【０１０２】
なお、上述した実施形態に限定されず、その要旨を逸脱しない範囲において種々の変更や改良等を加えて実施することが可能である。変形例を以下に述べる。
【０１０３】
前記実施形態の反射型偏光板装置５において、第１付勢部材５１には、接着剤５３を溜める切り欠き部５１４ａ，５１５ａを備えているが、第２付勢部材５２には、このような切り欠き部を備えていない。しかし、これに限られず、第２付勢部材５２にも、接着剤５３を溜める切り欠き部を備えてもよい。
【０１０４】
前記実施形態の反射型偏光板装置５において、接着剤５３は、紫外線硬化型の接着剤を用いているが、シリコン系接着剤を用いてもよい。
【０１０５】
前記実施形態の反射型偏光板装置５において、第１付勢部材５１に備える切り欠き部５１４ａ，５１５ａの場所、形状、数量等は限定されるものではなく、第１付勢部材の形状に対応させて適宜決めることができる。同様に、接着領域Ａ１，Ａ２も固定されるものではなく、切り欠き部に対応して適宜決めることができる。
【０１０６】
前記実施形態の反射型偏光板装置５において、第１付勢部材５１、第２付勢部材５２は弾性部材としての金属部材で形成されている。しかし、これに限定されず、弾性部材で形成されていればよく、弾性を有する合成樹脂部材で構成されていてもよい。
【０１０７】
前記実施形態の反射型偏光板装置５において、第１付勢部材５１と第２付勢部材５２とは別体で構成されている。しかし、これに限定されず、第１付勢部材５１と第２付勢部材５２とは、一体に構成されて、反射型偏光板３４１の平面と側面とを付勢することでもよい。
【０１０８】
前記実施形態のプロジェクター１の光学系は、Ｒ光、Ｇ光、Ｂ光に対応する３つの反射型光変調装置３４２を用いるいわゆる３板方式を採用しているが、これに限らず、単板方式を採用してもよい。単板方式の反射型光変調装置に本実施形態の反射型偏光板装置５及び電気光学装置６を用いた場合には、投写画像の部分的なフォーカスずれを抑制することができる。
【０１０９】
前記実施形態のプロジェクター１の光学系において、光源装置３１は、超高圧水銀ランプやメタルハライドランプ等からなる放電型の光源３１１及びリフレクター３１２等を備えている。しかし、これに限られず、光源装置は、レーザーダイオード、ＬＥＤ（Light Emitting Diode）、有機ＥＬ（Electro Luminescence）素子、シリコン発光素子等の各種固体発光素子を採用してもよい。
【符号の説明】
【０１１０】
１…プロジェクター、５…反射型偏光板装置、６…電気光学装置、７…光学装置、５０…保持部材、５１…第１付勢部材、５２…第２付勢部材、５３…接着剤、６０…支持部材、６１…第１面部、６２…第２面部、６３…第３面部、３４１…反射型偏光板、３４２…反射型光変調装置、３４４…クロスダイクロイックプリズム、３４１２…ガラス面、３４１３…下面、５１４ａ，５１５ａ…切り欠き部。
【図１】
0005834711.tif 000002
【図２】
0005834711.tif 000003
【図３】
0005834711.tif 000004
【図４】
0005834711.tif 000005
【図５】
0005834711.tif 000006
【図６】
0005834711.tif 000007